(57)【特許請求の範囲】
【請求項１】
選別後の二番物を二番還元コンベア（２４）から扱ぎ室（１２４）前部に再投入するための二番還元搬送手段を備えるコンバインにおいて、該二番還元搬送手段を、二番物を上方へ搬送する二番揚穀コンベア（８）と、該二番揚穀コンベア（８）の上部から、扱ぎ室（１２４）の前部へ水平方向に搬送する二番還元コンベア（２４）により構成し、該二番還元コンベア（２４）はスクリュー（２４ａ）の下部をコンベア樋（２５）により受けて、該スクリュー（２４ａ）とコンベア樋（２５）を二番還元コンベアケース（２７）内に収容することにより構成し、該二番還元コンベアケース（２７）の途中部に、前記扱ぎ室（１２４）側に開口する開口部（６８）を設け、該開口部（６８）を蓋体（２０）で開閉可能とし、前記二番還元コンベア（２４）の下部を構成するコンベア樋（２５）には、前記開口部（６８）の位置を合わせて掃除口（２５ｂ）を開口し、該掃除口（２５ｂ）により前記扱ぎ室（１２４）側に開放可能とし、該掃除口（２５ｂ）には着脱自在とした着脱樋（２５ａ）を配置したことを特徴とするコンバイン。
【発明の詳細な説明】
【０００１】
【発明の属する技術分野】
本発明は、コンバインに関するものであり、より詳しくは、二番物の還元コンベアにおける、詰まり物除去作業のメンテナンス性の向上、及び、蕎麦刈取時における二番還元物の増加に伴う二番コンベアの詰まりを防止するための構成に関するものである。
【０００２】
【従来の技術】
従来、コンバインでは、機体前部の刈取部に備える刈取装置により稈を刈取後、脱穀装置により脱穀処理を行い、脱穀後の穀粒を選別装置により選別した後、穀粒タンクに貯溜して、該穀粒タンクに貯溜した穀粒がいっぱいになると、上方搬送コンベア等の穀粒搬送装置により外部へ排出するようにしている。
【０００３】
前記脱穀装置においては、扱ぎ室内に、機体前後方向に軸装した扱胴により、穀稈の穀粒を脱穀するものであり、脱穀された穀粒は、脱穀装置の下方に配する揺動選別装置により、風選別・比重選別が行なわれる。この選別後、一番コンベアからは、一番物としての精粒が穀粒タンクに貯留され、二番コンベアからは、比重の軽い穀粒や稈屑等が選別部または脱穀部に還元される。そして、一番コンベアには、一番揚穀コンベアが連通されて上方に搬送された後、穀粒タンクに貯留されるものである。また、二番コンベアに集めた二番物は、二番揚穀コンベアにより上方に搬送された後、二番還元コンベアにより前方に搬送されて、再び扱ぎ室に投入され、再選別にかけられるものである。また、前記二番還元コンベアを収容するコンベアケース（以下、「二番還元コンベアケース」とする）には、開口部を穀粒タンク側に設けてメンテナンス窓とし、該メンテナンス窓を二番還元コンベアの詰まり物除去の際に利用していた。
【０００４】
また、前記揺動選別装置においては、脱穀装置から落下した多量の穀粒をフィードパンにより比重選別し、前記フィードパン後方のチャフシーブにて穀粒と稈屑の粗選別が行なわれ、さらに、チャフシーブ下方に備えられるグレンシーブと、該グレンシーブ前方に備えられる唐箕による唐箕風によって精選別が行なわれるものである。ここで、前記チャフシーブは、チャフシーブ前とチャフシーブ後で構成されており、チャフシーブ前とチャフシーブ後との間には隙間があり、その隙間から二番コンベアへの稈切れの落下を可能とし、稈切れの再選別による穀粒の収率の向上を図っていた。
【０００５】
【発明が解決しようとする課題】
しかし、前記脱穀装置及び選別装置において、二番コンベアに搬送される稈屑等が、二番揚穀コンベアによって絶えず二番還元コンベアに供給されるため、この二番物に湿り気が多い場合や、負荷が多くなった場合等には、二番還元コンベアケース内で滞留して詰まりが生じる場合があった。このような場合に、上記メンテナンス窓より詰まり物を除去するわけであるが、従来のメンテナンス窓は、その配置の配慮に欠けていたといえる。即ち、メンテナンス窓の開口を穀粒タンク側としていたため、穀粒タンクに精粒がいっぱいの状態では、穀粒タンクを開放しての作業ができないとともに、穀粒タンクを開放させることができたとしても、除去される詰まり物を排出するときに周囲に飛散してしまうことがあり、不純物が混入する恐れがあるからである。以上のことより、二番還元コンベアにおける詰まり物の除去を行うメンテナンスの作業効率の向上や、詰り物を穀粒タンク内に流入させずにメンテナンスを行うための手段を講じる必要がある。
【０００６】
また、前記揺動選別装置に着目するに、蕎麦及び、湿材の刈取時において、チャフシーブ前とチャフシーブ後との隙間から稈切れが二番コンベアに混入し、二番コンベアにおいて、稈切れの増加に伴う詰りが発生する場合があった。さらに、乾燥した麦や大豆の刈取の際には、チャフシーブ前とチャフシーブ後との隙間から二番コンベアへ稈切れを混入して再選別を行い、穀粒の収率を向上させることが望まれる。以上のことより、蕎麦及び、湿材の刈取の際にはチャフシーブ前とチャフシーブ後との隙間部から二番コンベアに混入する稈切れを減少させ、二番コンベアにおける詰りを防止すると共に、詰まる心配のない乾燥した大豆や麦等の刈取の際には、稈切れの二番コンベアへの供給を途絶えさせないための手段を講じる必要がある。
【０００７】
【課題を解決するための手段】
本発明の解決しようとする課題は以上のごとくであり、次にこの課題を解決するための手段を説明する。
【０００８】
選別後の二番物を二番還元コンベア（２４）から扱ぎ室（１２４）前部に再投入するための二番還元搬送手段を備えるコンバインにおいて、該二番還元搬送手段を、二番物を上方へ搬送する二番揚穀コンベア（８）と、該二番揚穀コンベア（８）の上部から、扱ぎ室（１２４）の前部へ水平方向に搬送する二番還元コンベア（２４）により構成し、該二番還元コンベア（２４）はスクリュー（２４ａ）の下部をコンベア樋（２５）により受けて、該スクリュー（２４ａ）とコンベア樋（２５）を二番還元コンベアケース（２７）内に収容することにより構成し、該二番還元コンベアケース（２７）の途中部に、前記扱ぎ室（１２４）側に開口する開口部（６８）を設け、該開口部（６８）を蓋体（２０）で開閉可能とし、前記二番還元コンベア（２４）の下部を構成するコンベア樋（２５）には、前記開口部（６８）の位置を合わせて掃除口（２５ｂ）を開口し、該掃除口（２５ｂ）により前記扱ぎ室（１２４）側に開放可能とし、該掃除口（２５ｂ）には着脱自在とした着脱樋（２５ａ）を配置したものである。
【０００９】
【発明の実施の形態】
以下、本発明の実施例を図面に基づいて説明する。図１は本発明を実施した形態のコンバインの左側面図、図２は同じく平面図、図３は同じく後部一部側面断面図、図４は同じく後面一部断面図、図５は脱穀装置及び選別装置の構成を示す左側面図、図６は二番還元コンベアケースにおける開口部の構成を示す左側面図、図７は同じく平面図、図８は同じく正面図、図９は開口部の構成の他の実施例を示すコンバインの後面一部断面図、図１０は同構成を適用する接続部の構成を示す側面図、図１１はチャフシーブ前とチャフシーブ後との隙間の構成を示す左側面図である。
【００１０】
まず、本発明を実施した形態のコンバインの全体構成について、図１乃至図５により説明する。クローラ式走行装置１Ｒ・１Ｌ上には機体フレーム１００が搭載され、該機体フレーム１００上には脱穀装置２が搭載され、該脱穀装置２の前方には、フィーダハウス３を介して、プラットホーム１２９等を備える刈取装置４が連設されると共に、脱穀装置２の横側方には穀粒タンク５（図２）が搭載され、該穀粒タンク５の前方には運転部６が連設されている。また、該運転部６には、後述する排出コンベア７０による穀粒の排出開始・停止の操作スイッチ（不図示）が備えられている。
【００１１】
また、前記脱穀装置２の下方には、揺動選別装置９（図５）が配置され、該揺動選別装置９の下方に横設された一番コンベア２２の終端部には、バケット式の一番揚穀コンベア７が連通して立設されている。該一番揚穀コンベア７は、複数のバケット１７・１７・・・を列設してなるバケット式コンベアとするものであり、前記揺動選別装置９で選別された一番物である精粒は、一番揚穀コンベア７下部の円弧状の受部１３に搬送された後、バケット１７・１７・・・により掬い上げて、そのまま上方へ搬送される。また、一番コンベア２２の後方には、二番コンベア２３が横設され、該二番コンベア２３の終端部には、バケット式の二番揚穀コンベア８が連通して立設されている。該二番揚穀コンベア８は、その上部で二番還元コンベア２４と連通されており、二番揚穀コンベア８下部の円弧状の受部１４に搬送された二番物は、バケット１８・１８・・・により掬い上げられた後、そのまま上方へ搬送され、二番還元コンベア２４へ投入される。そして、投入された二番物は、二番還元コンベア２４により前方へ搬送され、再び扱ぎ室１２４に投入され揉まれて再選別にかけられる。
【００１２】
また、前記一番揚穀コンベア７の上部は、連通パイプ６３（図３）を介して穀粒タンク５に連通されており、一番揚穀コンベア７で搬送された精粒を、穀粒タンク５内に貯留する。該穀粒タンク５の下部樋１０には、スクリュー式の搬出コンベア１１が設けられ、該搬出コンベア１１の終端部は、受継ぎケース１２を介して上方搬送コンベア５６下部と連通されている。
【００１３】
該上方搬送コンベア５６（図３）は、複数のバケット６６・６６・・・を列設してなるバケット式に構成される。該上方搬送コンベア５６は、前記搬出コンベア１１の軸端に軸装するスプロケットの回転で駆動される構成としており、搬出コンベア１１により受継ぎケース１２へ供給される穀粒を、バケット６６・６６・・・により上方へ搬送し、上方搬送コンベア５６上部で連通する受継ぎ搬送装置６９へ投入する構成としている。そして、穀粒は、受継ぎ搬送装置６９を介して排出装置１６へ投入された後、該排出装置１６内の排出コンベア７０により先端の排出口まで搬送されて外部に排出される。
【００１４】
以上が本発明を適用するコンバインの構成と穀粒搬送の概要であり、以下、本発明に係る装置の詳細について説明する。まず、二番コンベア２３から扱ぎ室１２４または揺動選別装置側（本実施例では扱き室１２４へ還元する）へ搬送する二番還元搬送手段には扱ぎ室１２４側と連通する開口部が設けられており、該二番還元搬送手段は二番コンベア２３に二番揚穀コンベア８、二番還元コンベア２４を介して扱ぎ室１２４と連通して構成されており、その構成と、二番物が搬送される過程について、図３乃至図６を用いて説明する。図４に示すごとく、脱穀装置２は、筐体に構成された扱ぎ室１２４内に、扱胴１２６を軸装してなる構成としており、扱ぎ室１２４の上部の開口は、開閉自在とするローターカバー７７により閉じられた構成となっている。該ローターカバー７７は後面視左側端が前後方向の軸により枢支され、右側を持ち上げて開放してメンテナンス等ができるようにしている。
【００１５】
また、図５に示すごとく、揺動選別装置９は、フィードパン６１や、チャフシーブ５５などを左右方向に横設して構成されるものである。そして、該揺動選別装置９の下方には、前方から順に、唐箕６２、一番コンベア２２、二番コンベア２３が配されている。一番コンベア２２で搬送された一番物は、一番揚穀コンベア７により上方に搬送された後、連通パイプ６３内（図３）を通って、穀粒タンク５へ貯溜される。
【００１６】
また、二番コンベア２３で搬送された二番物は、二番揚穀コンベア８により上方に搬送された後、接続シュート２６（図５）を通って、二番還元コンベアケース２７に投入される。投入された二番物は、二番還元コンベア２４により、二番還元コンベアケース２７内を前方に向かって搬送され、前記二番還元コンベアケース２７の排出口１９より扱ぎ室１２４へ再投入され再選別にかけられる。
【００１７】
次に、二番還元コンベア２４の構成について説明する。まず、図６に示すごとく、選別後の二番物を上方へ搬送する二番揚穀コンベア８と、該二番揚穀コンベア８により搬送された二番物を、扱ぎ室１２４前部に再投入するための二番還元コンベア２４を備えるコンバインにおいて、前記二番還元コンベア２４の搬送中途部には扱ぎ室１２４側に連通するメンテナンス用窓として開口部が設けられており、該開口部は蓋体で開閉着脱可能に閉じられている。本実施例では、二番還元コンベア２４はスクリュー２４ａの下部をコンベア樋２５でうけて二番還元コンベアケース２７により収容されている。コンベア樋２５及び二番還元コンベアケース２７にはそれぞれメンテナンス用窓としての開口部が扱ぎ室１２４側に開口されて連通できるようにしている。この二番還元コンベアケース２７は、機体前後方向に構成されるものであり、その後部にて二番揚穀コンベア８と接続シュート２６を介して接続される一方、前部には排出口１９を扱ぎ室側に開口している。この排出口１９は、図８における正面視において二番還元コンベアケース２７の右下に開口が形成されるように、上部板体１９ａと、下部板体１９ｂの両板体１９ａ・１９ｂ間に形成されるものであり、二番物を両板体１９ａ・１９ｂによりガイドするようにして、扱ぎ室１２４内へ斜め下方に投入できるようにしている。また、二番還元コンベアケース２７内のスクリュー２４ａは前記排出口１９の後部から接続シュート２６との接続部まで配する構成としている。そして、二番還元コンベアケース２７の扱ぎ室側の立設面であって、前記スクリュー２４ａの前後方向広い範囲（八割程度）が現れるように、開口部６８が前後方向に広く形成されている。
【００１８】
以上の構成により、二番還元コンベアケース２７内が詰まってしまった場合には、開口部６８を掃除口として、詰まり物を除去することが可能となって、また、その開口部６８を前後方向に広く形成されるため、除去作業を行いやすい構成となっている。
【００１９】
また、前記開口部６８は、前記二番還元コンベアケース２７に対し着脱自在に構成した蓋体２０により開閉自在に構成されるものである。図６に示すごとく、前記蓋体２０は、ノブボルト２１・２１によって、二番還元コンベアケース２７に対して着脱が自在とし、二番還元コンベア２４に詰まった詰まり物を除去する際には、上記ノブボルト２１・２１を緩めて蓋体２０を取外すことで、開口部６８を現出させることができるようにしている。一方、通常の脱穀作業時には、蓋体２０により開口部６８を閉じることで、二番還元コンベアケース２７内の二番物を開口部６８より流出させないようにしている。以上の構成により、必要に応じて、蓋体２０を容易に着脱することができるようになっている。なお、蓋体２０の固定手段はノブボルト２１に限定するものではなく、ワンタッチ係止具等であってもよい。
【００２０】
また、前記二番還元コンベア２４の下部を構成するコンベア樋２５には、前記開口部６８に位置を合わせて掃除口２５ｂが開口され、扱ぎ室側に開放できるようにしており、該掃除口２５ｂには着脱自在に着脱樋２５ａが配置される。また、前記二番還元コンベアケース２７内のスクリュー２４ａ下部を囲むようにして、機体正面断面視略「Ｕ」字状のコンベア樋２５が前後方向に横架されており、二番還元コンベア２４が回転駆動されると、二番物がスクリューの回転によってコンベア樋２５上を前方に移送される。さらに、このコンベア樋２５は、前記開口部６８において開閉できるように、扱ぎ室１２４側の樋を着脱自在に着脱樋２５ａを設けており、この着脱樋２５ａは、前記開口部６８の開口よりも外形寸法を小さくすることにより、図示せぬノブボルトによるコンベア樋２５に対する固定を解除して、開口部６８より外部へ取出せるようにしている。該着脱樋２５ａはコンベア樋２５に対してボルト等で固定したり、開口部６８周囲にレールを設けて着脱できるようにしている。以上の構成により、着脱樋２５ａを開口部６８より外して外部へ取り出すことにより、開口部６８におけるコンベア樋２５の扱ぎ室側の掃除口２５ｂを開放させることができる。
【００２１】
以上の各部の構成により、二番還元コンベアケース２７内において詰りが生じた場合には、ローターカバー７７を開いた後、蓋体２０を取り外し、開口部６８を開口させる。そして、開口部６８より、コンベア樋２５の着脱樋２５ａを外部へ取り出すことにより、開口部６８におけるコンベア樋２５を開放させることにより、同コンベア樋２５上に詰まった詰まり物は掃除口２５ｂを介して除去することができる。そして、開口部６８は扱ぎ室１２４側に開放して設けられていることから、メンテナンス時において詰り物を取り出すときに扱ぎ室１２４側へそのまま投入するだけでよく、周囲に拡散したりこぼれ落ちることがなく、メンテナンス時の清掃が不要であり、前記穀粒タンク５側に流入することもなく、穀粒タンク５内へ不純物を混入させることを防ぐことができる。
【００２２】
また、以上のメンテナンス用窓の構成については、二番還元コンベアケース２７に開口部６８を設ける構成の他、図９及び図１０に示す構成のように、二番揚穀コンベア８から二番還元コンベア２４にかけての接続部７９に開口部６８ｃを形成する構成としてもよい。図９に示すごとく、脱穀装置２は、筐体に構成された扱ぎ室１２４内に、扱胴１２６を軸装してなる構成としており、扱ぎ室１２４の上部の開口は、開閉自在とするローターカバー７７により閉じられた構成となっている。また、二番コンベア２３で搬送された二番物は、二番揚穀コンベア８により上方に搬送された後、接続部７９内を通って、二番還元コンベアケース２７ａ（図１２）に投入される。
【００２３】
ここで該接続部７９は以下の構成としている。即ち、図１０に示すごとく、選別後の二番物を上方へ搬送する二番揚穀コンベア８と、該二番揚穀コンベア８により搬送された二番物を前方に搬送し、扱ぎ室１２４前部に再投入する二番還元コンベア２４とを備えるコンバインにおける、前記二番揚穀コンベア８と二番還元コンベア２４の接続部７９の構成であって、該接続部７９には、メンテナンス窓として開口部６８ｃを設け、該開口部６８ｃは、接続部７９における扱ぎ室１２４側とするものである。また、前記開口部６８ｃは扉体（上扉体６７ａ・下扉体６７ｂ）により開閉自在とし、前記扉体（下扉体６７ｂ）は、下部に枢結部が備えられるものである。
【００２４】
図１０に示すごとく、本実施例では、二番揚穀コンベア８を収容する二番揚穀コンベアケース８ａと、該二番還元コンベア２４を収容する二番還元コンベアケース２７ａとの連通ケース６４において、扱ぎ室１２４側に開口部６８ｃを設け、該開口部６８ｃに、扱ぎ室１２４側へ開く扉体を枢結する構成とするものであり、該扉体は、上部で枢結される上扉体６７ａと、下部で枢結される下扉体６７ｂで構成している。上扉体６７ａ及び下扉体６７ｂは、開口部６８ｃの上下に備える枢軸６８ａ・６８ｂに対し枢結される板体である。
【００２５】
そして、二番還元コンベアケース２７ａ内で詰まりが生じた場合には、図９に示すごとく、まず、ローターカバー７７を開き、その後、両扉体６７ａ・６７ｂを開いて開口部６８ｃを開口して詰まり物を除去するものである。ここで、下扉体６７ｂは、図１０に示すごとく、開いた状態では、その外側板表面６７ｃが扱ぎ室１２４の上開口縁部１２４ａに当接して、一定の開口角度を形成するようになっており、この状態において、下扉体６７ｂの内側板表面６７ｄが所謂「樋」として機能して、開口部６８ｃからの詰まり物が、内側板表面６７ｄの表面上を滑るようにして、扱ぎ室１２４へ投入される構成としている。また、下扉体６７ｂの内側板表面よりガイドとなる立設面６７ｅ・６７ｅを形成して、内側板表面６７ｄの断面形状を略「凹」形とすることで、詰まり物を横方向へ漏らすことなく確実に扱ぎ室１２４へ投入する構成としている。
【００２６】
以上のように接続部７９を構成することで、二番還元コンベア２４のメンテナンスの際には、穀粒タンクの貯溜の状況や詰まり物の流入に配慮することなく作業が行なえるとともに、扉体を「樋」として利用し、詰まり物の全てを扱ぎ室１２４に再投入して、詰まり物に含まれる穀粒を再選別することで穀粒の収率の向上を図れるようにしてもよい。
【００２７】
次に、揺動選別装置９の構成について図５及び図１１を用いて説明する。図５に示すごとく、揺動選別装置９は、機体前方から順にフィードパン６１、チャフシーブ５５（チャフシーブ前５５ａ・チャフシーブ後５５ｂ）、グレンシーブ３３、ストローラック３４を連設して構成し、それぞれ左右方向に横設され、また、グレンシーブ３３は前記チャフシーブ５５の下方に配設されるものである。
【００２８】
上記構成において、まず、扱ぎ室で脱穀された穀粒や稈屑は、フィードパン６１、チャフシーブ５５ａ・５５ｂに落下する。フィードパン６１で、穀粒は均平作用と比重選別にかけられ、チャフシーブ５５ａ・５５ｂに送られ粗選別を受ける。前記フィードパン６１、チャフシーブ５５ａ・５５ｂで選別されない稈屑はストローラック３４へ送られ、稈屑や穀粒等を含む二番物を二番コンベア２３へ落下させ、残った稈屑は三番大口へ送られ排出される。また、これら揺動選別装置９の下方には、前方から唐箕６２、一番コンベア２２、二番コンベア２３が配設され、前記唐箕６２から送風された唐箕風６０によって、チャフシーブ５５ａ・５５ｂで粗選別されて漏下する穀粒を風選して重い穀粒は一番コンベア２２へ、比重の小さい穀粒は二番コンベア２３へ落下させ精選別するものである。
【００２９】
前記チャフシーブ５５は、その前部と後部でチャフシーブ前５５ａとチャフシーブ後５５ｂに分割して構成されており、前後方向に隙間をあけて配設されている。そして、蕎麦刈取の際等、作物の種類によって、この隙間に板体３６を設けることで二番コンベア２３へ稈切れを混入させない構成としている。これは、蕎麦や湿材等の稈切れがこの隙間部から二番コンベア２３へ混入してしまうと、二番還元の途中部で詰りが生じ、二番還元に支障をきたすことになるからである。
【００３０】
また、一番コンベア２２後方には、該一番コンベア２２方向に向かって傾斜する一番流穀板３０が、チャフシーブ前５５ａとチャフシーブ後５５ｂとの隙間の前後方向ほぼ中心であって、その傾斜を前低後高として、その後端をチャフシーブ後５５ｂの手前まで伸ばすようにして配され、一番物を余すことなく一番コンベア２２へ流入させる構成としている。一方、二番コンベア２３後方には、該二番コンベア２３方向に向かって傾斜する二番流穀板３１が連設されており、同じく、二番物を二番コンベア２３へ流入させる構成としている。
【００３１】
ここで、前記チャフシーブ前５５ａとチャフシーブ後５５ｂとの隙間部は以下の構成としている。図１１に示すごとく、揺動選別装置に備えるチャフシーブ前５５ａとチャフシーブ後５５ｂに挟まれた隙間部は、一番流穀板３０を隔てて、前方側は一番コンベア２２に繋がる隙間部３８ａ、後方側は二番コンベア２３に繋がる隙間部３８ｂとしている。二番コンベア２３に繋がる隙間部３８ｂは、一番流穀板３０とチャフシーブ後５５ｂの前部に挟まれており、この隙間部３８ｂを覆うように板体３６を横架して、稈切れが二番コンベア２３へ混入することを防ぐように構成している。また、前記板体３６は、チャフシーブ後５５ｂの前部のステー３５に固定されるもので、ボルト３７によって締結される。そして、このボルト３７の着脱により前記板体３６は着脱自在となっており、前記二番コンベア２３へ繋がる隙間部３８ｂの開閉を可能としている。なお、機体前方に備えられる唐箕６２から送給される唐箕風６０によって、稈切れが一番コンベア２２に繋がる隙間から一番コンベア２２内へ混入することはなく、一番物としての穀粒のみが一番流穀板３０を流下するものである。
【００３２】
以上の構成により、蕎麦刈取時、あるいは、湿材等詰りが生じやすい穀稈の刈取の際には、チャフシーブ前５５ａとチャフシーブ後５５ｂとの隙間に板体３６を設置して、稈切れの二番コンベア２３内への落下を防止し、稈切れの混入に伴う二番コンベア２３の詰りを予防することで、二番還元を円滑に行うことができる。また、前記板体３６は着脱自在に構成するので、上記のような詰まりが生じる心配がない場合は、取り外して作業を行うことができ、稈切れを再選別することにより、収率の向上が図られる。
【００３３】
【発明の効果】
本発明は、以上のように構成したので、次のような効果を奏するものである。
選別後の二番物を二番還元コンベア（２４）から扱ぎ室（１２４）前部に再投入するための二番還元搬送手段を備えるコンバインにおいて、該二番還元搬送手段を、二番物を上方へ搬送する二番揚穀コンベア（８）と、該二番揚穀コンベア（８）の上部から、扱ぎ室（１２４）の前部へ水平方向に搬送する二番還元コンベア（２４）により構成し、該二番還元コンベア（２４）はスクリュー（２４ａ）の下部をコンベア樋（２５）により受けて、該スクリュー（２４ａ）とコンベア樋（２５）を二番還元コンベアケース（２７）内に収容することにより構成し、該二番還元コンベアケース（２７）の途中部に、前記扱ぎ室（１２４）側に開口する開口部（６８）を設け、該開口部（６８）を蓋体（２０）で開閉可能としたので、二番還元搬送手段が詰まったときやメンテナンスの際には、蓋体を外すだけで二番還元搬送手段の詰まった穀粒を取り除いたり、内部を点検したり、清掃したりすることができ、取り除いた穀粒は扱ぎ室側へ落ちて、周囲に穀粒が飛散したり、不純物が混じることがなく作業が行える。
【００３４】
また、前記二番還元コンベア（２４）の下部を構成するコンベア樋（２５）には、前記開口部（６８）の位置を合わせて掃除口（２５ｂ）を開口し、該掃除口（２５ｂ）により前記扱ぎ室（１２４）側に開放可能とし、該掃除口（２５ｂ）には着脱自在とした着脱樋（２５ａ）を配置したので、二番還元コンベア（２４）のコンベア樋（２５）の部分に詰まった場合には、蓋体（２０）をし、開口部（６８）を開口させ、更にその中のコンベア樋（２５）の着脱樋（２５ａ）を外して、掃除口（２５ｂ）を開口することにより、二番還元コンベア（２４）内の詰まり物を扱ぎ室（１２４）内に投入する除去作業ができ、二番還元コンベアの下側を開放して容易に詰まった穀粒を排出することができるのである。
【図面の簡単な説明】
【図１】  本発明を実施した形態のコンバインの左側面図である。
【図２】  同じく平面図である。
【図３】  同じく後部一部側面断面図である。
【図４】  同じく後面一部断面図である。
【図５】  脱穀装置及び選別装置の構成を示す左側面図である。
【図６】  二番還元コンベアケースにおける開口部の構成を示す左側面図である。
【図７】  同じく平面図である。
【図８】  同じく正面図である。
【図９】  開口部の構成の他の実施例を示すコンバインの後面一部断面図である。
【図１０】  同構成を適用する接続部の構成を示す側面図である。
【図１１】  チャフシーブ前とチャフシーブ後との隙間の構成を示す左側面図である。
【符号の説明】
８      二番揚穀コンベア
２４    二番還元コンベア
２７    二番還元コンベアケース
６８    開口部
１２４  扱ぎ室
【図１】
0004009134.tif 000002
【図２】
0004009134.tif 000003
【図３】
0004009134.tif 000004
【図４】
0004009134.tif 000005
【図５】
0004009134.tif 000006
【図６】
0004009134.tif 000007
【図７】
0004009134.tif 000008
【図８】
0004009134.tif 000009
【図９】
0004009134.tif 000010
【図１０】
0004009134.tif 000011
【図１１】
0004009134.tif 000012